(57)【要約】【課題】光源の交換が容易に行えるスピーカーを提供する。【解決手段】音声信号がボイスコイル４に印加された際に、該ボイスコイル４の巻き芯軸方向の一方側に配置されている振動板３を、他方側に配置されている磁気回路部２の磁力変化でボイスコイル４に変移力を生じさせて前記振動板３を巻き芯軸方向に沿って振動・変移させるスピーカーにおいて、前記磁気回路部２における巻き芯軸方向の外部露出面部２１ａに、前記振動板３の表面に対する照光用の光を出射する光源６を配置する。【選択図】        図４
2011055227.tif 000002
【特許請求の範囲】
【請求項１】
音声信号がボイスコイルに印加された際に、該ボイスコイルの巻き芯軸方向の前側に配置されている振動板を、後側に配置されている磁気回路部の磁力変化でボイスコイルに変移力を生じさせて前記振動板を巻き芯軸方向に沿って振動・変移させるスピーカーにおいて、
前記振動板の表面に対する照光用の光を出射する光源が、前記磁気回路部における巻き芯軸方向の後側の外部露出面部に配置され、
前記光源の光を前記振動板の表面に導く導光部が、前記光源の前側から前記振動板の中央部を貫通して設けられていることを特徴とするスピーカー。
【請求項２】
前記導光部は中実柱状体の導光体から構成されている請求項１に記載のスピーカー。
【請求項３】
前記導光体の先端部には、円錐形凹入部が形成され、
前記円錐形凹入部の周面には、前記導光体を介して導かれた光源からの光を前記振動板の表面に向ける反射面部が形成されている請求項２に記載のスピーカー。
【請求項４】
前記反射面部は、円錐形凹入部の周面に形成された鏡面で構成されている請求項３に記載のスピーカー。
【請求項５】
前記反射面部は、円錐形凹入部の周面に塗布された光拡散用コーティング層から構成されている請求項３に記載のスピーカー。
【請求項６】
前記円錐形凹入部には、透光性円錐体が嵌着されており、
この円錐体の周面に前記反射面部が形成されている請求項３に記載のスピーカー。
【請求項７】
前記光源は、発光素子である請求項１〜６のいずれか一項に記載のスピーカー。
【発明の詳細な説明】
【技術分野】
【０００１】
この発明は、例えばゲーム機器等に装備されるスピーカーに関する。
【背景技術】
【０００２】
例えばゲーム機器等では、ゲームを盛り上げるために独特の音声を発生するスピーカーが搭載されているのが一般的であるが、さらに使用者の視覚を刺激したり、興趣性を高めるためにスピーカーの振動板等を光で照らすようにしたものが提案されている。
【０００３】
たとえば、振動板の中央部のダストキャップとボイスコイルのコイルボビンの前端との間に光源を設け、この光源からの光で前記振動板を照らすようにした技術が案出されている（例えば、特許文献１参照）。
【先行技術文献】
【特許文献】
【０００４】
【特許文献１】特開２００４−７３０８号公報
【発明の概要】
【発明が解決しようとする課題】
【０００５】
ところで、この種のスピーカーでは、通常、振動板や、振動板をボイスコイルを介して駆動する磁気回路部等の部材が接着等で組み付けられるようになっているので、上記した従来技術のように、前記光源を振動板の中央部のダストキャップ内等に収容した構成であると、光源の不良等が起きた場合に、その光源を取り換えるのが難しいという問題がある。
【０００６】
この発明は、上記実情に鑑みてなされたものであり、光源の交換が容易に行えるスピーカーを提供することを課題としている。
【課題を解決するための手段】
【０００７】
上記課題は、以下の手段によって解決される。
【０００８】
［１］音声信号がボイスコイルに印加された際に、該ボイスコイルの巻き芯軸方向の前側に配置されている振動板を、後側に配置されている磁気回路部の磁力変化でボイスコイルに変移力を生じさせて前記振動板を巻き芯軸方向に沿って振動・変移させるスピーカーにおいて、
前記振動板の表面に対する照光用の光を出射する光源が、前記磁気回路部における巻き芯軸方向の後側の外部露出面部に配置され、
前記光源の光を前記振動板の表面に導く導光部が、前記光源の前側から前記振動板の中央部を貫通して設けられていることを特徴とするスピーカー。
【０００９】
［２］前記導光部は中実柱状体の導光体から構成されている前項１に記載のスピーカー。
【００１０】
［３］前記導光体の先端部には、円錐形凹入部が形成され、
前記円錐形凹入部の周面には、前記導光体を介して導かれた光源からの光を前記振動板の表面に向ける反射面部が形成されている前項２に記載のスピーカー。
【００１１】
［４］前記反射面部は、円錐形凹入部の周面に形成された鏡面で構成されている前項３に記載のスピーカー。
【００１２】
［５］前記反射面部は、円錐形凹入部の周面に塗布された光拡散用コーティング層から構成されている前項３に記載のスピーカー。
【００１３】
［６］前記円錐形凹入部には、透光性円錐体が嵌着されており、この円錐体の周面に前記反射面部が形成されている前項３に記載のスピーカー。
【００１４】
［７］前記光源は、発光素子である前項１〜６のいずれか一項に記載のスピーカー。
【発明の効果】
【００１５】
前項［１］に記載の発明によれば、振動板の表面を照光するための光を出射する光源を、スピーカー構成部品で最後部に位置する磁気回路部におけるボイスコイル巻き芯軸方向の後側の外部露出面部に配置してあるので、光源を振動板のダストキャップ内等に設けるもの等と違って、前記光源の取換えをスピーカーの後方から簡単に行うことができる。
【００１６】
前項［２］に記載の発明によれば、導光体を使うことにより、光源からの光を比較的簡単、かつ的確に前記振動板の表面に向かうように導くことができる。
【００１７】
前項［３］に記載の発明によれば、導光体に導かれた光源からの光が円錐形凹入部の周面の反射面部で反射して振動板の表面が照光され、使用者の視覚に刺激を与えることができる。
【００１８】
前項［４］に記載の発明によれば、導光体に導かれた光源からの光が円錐形凹入部における鏡面で反射され、そのまま振動板の表面が有効に照光される。
【００１９】
前項［５］に記載の発明によれば、導光体に導かれた光源からの光が円錐形凹入部の周面における光拡散用コーティング層で拡散・反射されることにより、振動板の表面の照光状態を全方向で視認可能となる。
【００２０】
前項［６］に記載の発明によれば、導光体に導かれた光源からの光を振動板の表面に向かわせる反射面部が円錐形凹入部に嵌着された円錐体の周面で構成されているので、例えば反射状態の異なる種々の反射面部を有する円錐体を用意しておき、現場等で任意のものを選択して組み付けたりすることが可能となる。
【００２１】
前項［７］に記載の発明によれば、光源が発光素子であるので、磁気回路部におけるボイスコイル巻き芯軸方向の外部露出面部のスペースが比較的狭小であっても、問題なく取り付け可能となる。
【図面の簡単な説明】
【００２２】
【図１】この発明の実施形態に係るスピーカーを示す外観斜視図である。
【図２】同じくスピーカーを示す正面図である。
【図３】同じくスピーカーを示す上面図である。
【図４】図２のＡ−Ａ線に沿った断面図である。
【図５】円錐形凹入部における反射面部の動作説明図である。
【図６】反射面部の別の例を示す断面図である。
【図７】円錐形凹入部に嵌着される円錐体の周面で反射面部を構成した例を示す断面図である。
【発明を実施するための形態】
【００２３】
以下、この発明の実施形態を図面に基づいて説明する。
【００２４】
図１は、この発明の実施形態に係るスピーカーを示す外観斜視図、図２および図３は、それぞれ同スピーカーを示す正面図および上面図、図４は、図２のＡ−Ａ線に沿った断面図である。
【００２５】
図１〜図４において、このスピーカーは、フレーム部１と、磁気回路部２と、振動板３と、ボイスコイル４と、ダンパー部材５と、光源６と、導光体７とを備えている。
【００２６】
なお、この実施形態では、ボイスコイル４の巻き芯軸方向の一方側を前（方）側とし、他方側を後（方）側として説明する。
【００２７】
前記フレーム部１は、例えば金属材ないしは合成樹脂等から環状盆形に成形された基部１１と、この基部１１の周壁における前側開口端部から前方側へ向かって略径大化し、かつ円周方向へ沿って間欠的に切り欠かれている周壁部１２とを有しており、周壁部１２の前端には、振動板支持用の環状段部１３が一体形成されている。
【００２８】
前記周壁部１２の外面には、一対の音声信号入力端子８ａ，８ｂが装着された基板８ｃがねじ８ｄにより固定されている（図１参照）。
【００２９】
前記磁気回路部２は、後側の磁性体であるヨーク２１と、永久磁石からなる環状マグネット２２と、前側の磁性体である環状プレート２３とを有している。
【００３０】
前記ヨーク２１は、例えば平板部２１１と、この平板部２１１の前面側中央部に一体形成された円柱状部２１２とからなり、この円柱状部２１２には、環状マグネット２２が遊嵌状に装着されている。
【００３１】
前記環状プレート２３は、円柱状部２１２の先端部に遊嵌される一方、前面に形成されたボス２３ａを介して前記フレーム部１における基部１１の後面側に固定されており、この状態では、前記ヨーク２１とでマグネット２２を前後から挟み込んで堅固に保持している。
【００３２】
前記ヨーク２１における円柱状部２１２の外周面と前記マグネット２２の内周面と前記環状プレート２３の内周面とで囲まれる空隙Ｇは、磁気ギャップ部として構成されている。
【００３３】
前記振動板３は、例えば紙、合成樹脂、木材等の素材により、例えば短寸筒部３１から前方へ向かって略拡径する円錐状に成形されており、ボイスコイル４に音声信号が印加された際に、このボイスコイル４の前後方向の変移力をコイルボビン４０を介して伝達されて振動・変移するようになっている。
【００３４】
この振動板３は、筒部３１を有しており、この筒部３１の前端開口には、円錐部３２が連成されている。円錐部３２の前側開口端部には、断面形状が半円形の環状エッジ部３３が一体成されており、さらに、円錐部３２には、同心円の複数の凸条３５が形成されている。
【００３５】
前記振動板３における環状エッジ部３３の径方向の外端部には、鍔状の被取付部３４が一体形成されており、この被取付部３４を前記フレーム部１の環状段部１３の前面に接合することより、前記振動板３が前後方向へ変移可能にフレーム部１に支持されている。
【００３６】
３００は、振動板３の外端部を前記フレーム部１の環状段部１３の前面の押し付けるリングである。
【００３７】
前記ボイスコイル４は、磁気ギャップ部Ｇ中に配設されるともに、筒状のコイルボビン４０における後側の部位に巻装されており、音声信号入力端子８ａ，８ｂに入力される音声信号に応じて変移するようになっている。つまり、ボイスコイル４に音声信号が印加されると、電磁誘導作用によって磁気回路部２に生じている磁力が変化し、その磁力に応じた力でボイスコイル４が前後方向へ振動・変移されるようになっている。
【００３８】
コイルボビン４０は、前側端部が前記フレーム部１の基部１１の中央部およびダンパー部材５の中央部を貫通し、さらに前記振動板３における筒部３１を貫通しており、ボイスコイル４と一緒に変移可能に設定されている。
【００３９】
前記ダンパー部材５の径方向の外端部５ａは、前記フレーム部１における基部１１と周壁部１２との間の連結段部１１１に接合・固定される一方、径方向の内端部５ｂは、前記コイルボビン４０の外周面に固着されており、これにより、フレーム部１に対してコイルボビン４０が前後方向で弾性変移可能に支持されている。
【００４０】
前記光源６は、例えば発光ダイオ−ド（以下、ＬＥＤと称する）からなり、配線基板６１に装着されている。この配線基板６１を前記磁気回路部２における後側の外部露出面部、具体的には、ヨーク２１の後端面２１ａにねじ６２等で装着することにより、ＬＥＤ６からの光が前方向きに出射するように設定されている。
【００４１】
前記ヨーク２１の円柱状部２１２における先端面には、ヨーク２１の後側面２１ａまで達する貫通孔２２０が形成されており、この貫通孔２２０には、中実柱状体からなる導光体７の基端部７ａが嵌装されて固定されている。
【００４２】
この導光体７の先端部７ｂは、前記コイルボビン４０を貫通して振動板３の表面側（前面側）まで延出されており、前記光源６からの光Ｌを振動板３を貫通する位置まで導くようになっており、導光部として機能する。
【００４３】
また、導光体７の先端部７ｂにおける先端面には、円錐形凹入部７０が形成されており、この円錐凹入部７０の周面は、導光体７で導光されたＬＥＤ６からの光Ｌを振動板３の円錐部３２の表面側に反射させる反射面部、例えば鏡面として構成されている。
【００４４】
上記構成のスピーカーにおいては、一対の入力端子部８ａ，８ｂに入力された音声信号がボイスコイル４に印加されることにより、電磁誘導作用によって磁気回路部２におけるギャップ部Ｇでの磁力が変化し、その磁力の変化に応じた力によって、ボイスコイル４がコイルボビン４０と共に、磁気回路部２に対して前後方向へ振動・変移する。
【００４５】
このボイスコイル４がコイルボビン４０と共に振動・変移することにより、振動板３の円錐部３２が半円形の環状エッジ部３３を支点にして振動し、音声信号に応じた音波が放出される。
【００４６】
一方、音声信号がボイスコイル４に印加された際、前記ＬＥＤ６もそれに応じて駆動されて点灯ないしは点滅動作する。
【００４７】
このＬＥＤ６から出射された光Ｌは、中実柱状体からなる導光体７にその基端面から入射して前方へ向かって進む。ＬＥＤ６からの光Ｌが導光体７の前端部７ｂにおける円錐形凹入部７０に至ると、図５に示すように、円錐形凹入部７０の円錐周面に形成された鏡面７１で反射されて、反射光Ｌがそのまま直接、前記振動板３の円錐部３２の表面を照光する。このため、例えばゲーム機に装備されている場合では、振動板３の円錐部３２の表面の照光状態で使用者の視覚が刺激され、さらに興趣性が高められる。
【００４８】
ここで、前記ＬＥＤ６を、スピーカー構成部品のうちで最後部に位置する前記磁気回路部２の後端側、具体的には、ヨーク２１の後端面２１ａに装着してあるので、ＬＥＤ６が不良に陥ったりした場合に、基板６１ごと容易に交換することが可能となる。
【００４９】
この例では、ＬＥＤ６の基板６１を前記ヨーク２１の後面にねじ６２で固定したもので説明したが、ねじ止めに限らず、例えばコネクタ等を利用して装着したものであってもよい。
【００５０】
また、光源６は、ＬＥＤに限定されるものではないが、ＬＥＤ６は比較的小さいので、前記ヨーク２１の後面側のスペースが狭小である場合でも、問題なく取り付けることが可能である。
【００５１】
さらにまた、前記振動板３の円錐部３２には、同心円の複数の凸条３５が形成されているので、前記鏡面７１で反射された光Ｌが振動板３の円錐部３２の表面に照射した際、前記複数の凸条３５で各方向へ分散される。これにより、振動板３の表面側において、全方向から照光状態を確認できる利点がある。
【００５２】
また、前記振動板３が振動にしている時、円錐形凹入部７０における鏡面７１は不動であるので、光Ｌの照射状態において、鏡面７１から振動板３の円錐部３２までの光照射距離が変化する。このため、照光位置において光Ｌの輪が変化し、一層興趣性を上げることができる。
【００５３】
ところで、前記円錐形凹入部７０における反射面部としては、この例のような鏡面７１に限られるものではなく、例えば図６に示すように、円錐形凹入部７０の周面に、白色のような反射色の塗料を塗布してなる光拡散用コーティング層７２を形成したものあってもよい。
【００５４】
この場合、導光体７を通った光は、光拡散用のコーティング層７２により、光拡散されて反射されるので、振動板３の表面の照光状態を全方向から視認できる。
【００５５】
また、図７に示すように、円錐形凹入部７０に嵌着される透光性の円錐体８０を成形し、この円錐体８０の周面に、例えば光拡散コーティング層８１を設けて反射面部として構成してすることも可能である。この場合、例えば予め反射状態の異なる種々の反射面部７１（７２）（８１）をもったの複数の円錐体８０を用意しておき、現場等でそこの雰囲気に適した円錐体８０を選択して組み付けるようなことも可能となる。
【００５６】
前記導光体７の先端部７ｂの外周面に、例えば模様等を形成しておけば、前記鏡面７１で反射された光Ｌのうち導光体７の周面から出射する光は、その模様で変化し、独特な照光状態が得られる。
【００５７】
なお、上記実施形態では、光源６の光を振動板３の表面に導く導光部を、中実柱状体の導光体７によって構成したが、光源６の前側から振動板３の中央部を貫通する中空のトンネルを導光路としてもよい。
【符号の説明】
【００５８】
１・・・フレーム部
２・・・磁気回路部
３・・・振動板
４・・・ボイスコイル
６・・・光源（ＬＥＤ）
７・・・導光体
７ｂ・・・導光体の先端部
２１ａ・・磁気回路部の外部露出面部（後端面）
７０・・・円錐形凹入部
７１，７２，８１・・・反射面部
８０・・・透光性円錐体
【図１】
2011055227.tif 000003
【図２】
2011055227.tif 000004
【図３】
2011055227.tif 000005
【図４】
2011055227.tif 000006
【図５】
2011055227.tif 000007
【図６】
2011055227.tif 000008
【図７】
2011055227.tif 000009